(57)【要約】      （修正有）【課題】確実に定位しスピーディに取り外すことができる固定装置を提供する。【解決手段】固定装置のソケット１１内部に穿孔を設け、底部に定位部１１２を設置し、ソケット内に納置するリミット体１２の中央に嵌合孔を形成し、リミット体の底部とソケットの間に弾性部品１３を設置する。ソケット下方にリミット体を固定する固定部品１４を設置し、固定部品は嵌合孔内に嵌合する対応部１４１を備え，対応部下方に桿体１４２が伸びる。桿体底部はソケット外部を貫通し外径が穿孔の口径より大きい停止段１４３が外向きに伸びる。停止段の底部外向きに凸設した停止部１４４の最上部には、案内斜面１４４１を形成する。ソケットは定位部により第一板材に固定した後、第二板材両側の支持面により案内斜面を押し、桿体と停止段が通道を通り、第一掛合槽と第二掛合槽にそれぞれ進入し、弾性部品の復位により停止段と停止部を第一掛合槽と第二掛合槽内に定位し、反対にリミット体の表面を押し、第二板材を外側に外す。【選択図】図２
0003209950.tif 000002
【実用新案登録請求の範囲】
【請求項１】
主に固定組立部材を含み、且つ固定組立部材はソケット、リミット体、弾性部品及び固定部品から構成された固定装置において、そのうち、
該ソケット内部は、穿孔を設置し、ソケット底部に定位部を設置し
該リミット体はソケット内に設置し、且つリミット体の中央箇所には嵌合孔を穿設し、
該弾性部品はリミット体の底部とソケットの間で支持し、
該固定部品はソケット下方に設置して穿孔内に挿入し、リミット体上で固定し、その固定部品は、嵌合孔内に嵌合する対応部を備え、対応部の下方にはソケットの穿孔内に挿入する桿体が伸び、桿体の底部はソケット外部を通り抜け且つ外径が穿孔口径より大きい停止段が外向きに伸び、停止段底部は外径が徐々に広がる停止部を外向きに凸設し、停止部最上部には傾斜状の案内斜面を成形することを特徴とする固定装置。
【請求項２】
前記固定装置は、更に固定組立部材、第一板材及び第二板材を含み、該第一板材はソケットの定位部を固定するための孔を設置し、且つ該第二板材は第一板材に対して平行に組み立て、その第二板材は基板を備え、基板の表面には停止段を設置する第一掛合槽を成形し、次に基板一側を折曲して片材を延長し、片材の第一掛合槽下方に当たる箇所は外径が第一掛合槽外径より大きく且つ停止部を挿入する第二掛合槽を設置し、更に第二板材の反折部位は外から内に向かって第一掛合槽及び第二掛合槽箇所に連通する通道を断面設置し、その通道末端及び基板一側の二内壁面箇所にはそれぞれ支持凸塊を凸設し、第二板材一側の反折部位及び通道の二外側は、それぞれ停止部の案内斜面を押して桿体をソケットの穿孔外側から通すための支持面を成形し、該第二板材の片材は基板との間に停止段を通過させるための高低階差を形成し、且つ該第二板材の通道の間隔は停止段の外径より大きく、且つ停止部の外径より小さく、該通道の二支持凸塊の間の距離は桿体の外径より大きく、且つ停止段の外径より小さいことを特徴とする請求項１記載の固定装置。
【請求項３】
前記ソケットの穿孔の最上部は、口径が拡大し、且つ弾性部品一端で支持するための納置槽を形成し、且つソケットの定位部外表面上には環状溝槽を設置し、該リミット体の表面及び嵌合孔に位置する周辺縁には凹槽を設置し、凹槽上には片体を被せ、該停止部の案内斜面と停止部底面間の夾角は６０°〜１２０°の間を形成し、該固定部品の桿体及び停止段の外径は第一掛合槽外径より小さく、該停止部の外径は第一掛合槽外径より大きく、且つ第二掛合槽の外径より小さいことを特徴とする請求項１記載の固定装置。
【考案の詳細な説明】
【技術分野】
【０００１】
本考案は、固定装置に関するもので、特に固定組立部材は停止部の案内斜面で第二板材の支持面を押して移動し、固定部品の停止段及び停止部を第二板材の第一掛合槽及び第二掛合槽内でそれぞれ定位し、且つリミット体を押すだけで第二板材を取り外し、確実に定位し、簡単に取り外す。
【背景技術】
【０００２】
電子科学技術の進歩に伴い、多くの製品はネジもしくは差込止めピンで定位する。例として引き出し、キーボードトレー、基板等の活動伸縮構造を備える製品がそうであり、ネジもしくは差込止めピンを用いてスライドレール、スライド槽が特定位置へ移動して定位させ、ユーザーはスライドレール及びスライド槽が移動しない状態において配線作業、設備移動もしくは運搬等を行う。例としては電信局キャビネット、コンピュータサーバー、工作機台等複数の装置、機構を使って組み立てた設備である。現在、スライドレール、スライド槽が移動する時の定位方式はネジもしくは差込止めピンで板部品と板部品を重畳状態して滑動移動して定位し、作業者の仕事を助ける。
【０００３】
更に、一般コンピュータもしくは工業用コンピュータのサーバーキャビネット内部は通常、マザーボード、電源サーバー、ハードディスク及びファン等電子装置を設置する。但し、各マザーボードのメーカーが設計したマザーボード規格の大きさはそれぞれ異なるため、キャビネットの底板上には多くの銅柱を設置しなければならず、マザーボードを複数の銅柱の上に設置した後、ネジをマザーボード上の通孔からそれぞれ差し込んだ後銅柱内で固定して一体にする。
【先行技術文献】
【特許文献】
【０００４】
【特許文献１】実用新案登録第３１２３１７３号公報
【考案の概要】
【考案が解決しようとする課題】
【０００５】
解決しようとする問題点として、メーカーの筐体出貨量の成長に伴い、底板上の銅柱に設置する数量は、益々増加し、この種のネジで銅柱内に入れ、マザーボードを底板と固定する方式は、筐体内部の空間が容易に制限を受けるだけでなく、ユーザーは作業において多くの時間と労力を支払うことになり、スピーディに組み立てできず、組立が煩雑で時間がかかり、操作上不便である点である。
【０００６】
拠って、公知の欠点と不便を如何にして解決するかをこの業界に携わり研究を重ねてきた。
【課題を解決するための手段】
【０００７】
本考案の固定装置の該ソケット内部は、穿孔を穿設し、底部には定位部を設置する。ソケット内に納置するリミット体の中央には嵌合孔を形成し、且つリミット体の底部とソケットの間には弾性部品を設置する。ソケット下方はリミット体を固定するための固定部品を設置し、その固定部品は嵌合孔内に嵌合する対応部を備え，対応部下方には桿体が伸びる。桿体底部はソケット外部を貫通し且つ外径が穿孔の口径より大きい停止段が外向きに伸びる。
更に停止段の底部の外向きに凸設した停止部の最上部は、案内斜面を形成し、ソケットは定位部によって第一板材に固定した後、第二板材両側の支持面によって案内斜面を押し、桿体及び停止段が通道を通り、第一掛合槽及び第二掛合槽にそれぞれ進入し、弾性部品の復位によって停止段及び停止部を第一掛合槽及び第二掛合槽内にそれぞれ定位し、また反対にリミット体の表面を押すことで、第二板材を外側に外すことを最も主要な特徴とする。
【考案の効果】
【０００８】
本考案の固定装置は、確実に定位し、スピーディに取り外すという利点がある。
【図面の簡単な説明】
【０００９】
【図１】本考案の固定組立部材の立体外観図である。
【図２】本考案の固定組立部材の立体分解図である。
【図３】本考案の固定組立部材の別角度の立体分解図である。
【図４】本考案の組立前の立体外観図である。
【図５】本考案の組立前の別角度の立体外観図である。
【図６】本考案の第二板材組立前の側視断面図である。
【図７】本考案の第二板材組立途中の側視断面図である。
【図８】本考案の第二板材組立後の側視断面図である。
【図９】本考案の組立後の立体外観図である。
【図１０】本考案の第九図Ａ線の側視断面図である。
【考案を実施するための形態】
【００１０】
考案者は、上述の問題を鑑み、関連資料を集め、多方面での評価及び考慮を経て、当業界での長年の経験を元に、何度も試作及び修正を重ね、遂にこの種の固定装置の実用新案を考案することとなった。
【００１１】
本考案の主な目的は、該第二板材両側の支持面に固定部品の停止部の案内斜面を接触して押し、固定部品の桿体をソケットの穿孔の外部から出し、リミット体の底面で弾性部品を押して弾力変形させ、そして桿体及び停止段は続けて通道を通り、第一掛合槽及び第二掛合槽内にそれぞれ進入すると、弾性部品は弾力が復位し、リミット体及び固定部品も共に復位し、固定部品の停止段及び停止部を第一掛合槽及び第二掛合槽内でそれぞれ確実に定位する。
第二板材から第一板材を取り外す時、リミット体の表面を押すだけで、桿体が再びソケットの穿孔外部へ伸び出て、停止段及び停止部が第一掛合槽及び第二掛合槽内の制限からそれぞれ外れ、その時第二板材を外すことができる。固定組立部材の構造が簡単であるため、第二板材を合わせて入れるだけで確実に定位し、且つ手指でリミット体を押すだけで第二板材を外せることから、確実な定位効果と同時に取り外しの簡便さを達成する。
【００１２】
本考案の次の目的は、該第二板材の二支持面は弓形であり、比較的大きい面積を備えて停止部の案内斜面を押し、桿体が容易にソケットの穿孔外側から出る。且つ二支持面は弓形であるため、第二板材の構造強度が高くなり、第二板材使用寿命が伸びる目的を達成する。
【実施例】
【００１３】
上述の目的と効果を達成するため、本考案が採用する技術手段及びその構造、実施の方法等を本考案の図式を示しながら、良好な実施例を挙げて詳細に以下説明する。
【００１４】
図１、２、３、４、５に示すのは、本考案の固定組立部材の立体外観図、固定組立部材の立体分解図、固定組立部材別角度の立体分解図、組立前の立体外観図及び組立前別角度の立体外観図であり、図を見て分かる通り、本考案の固定装置は、固定組立部材１、第一板材２及び第二板材３を含む。
【００１５】
そのうち、該固定組立部材１はソケット１１、リミット体１２、弾性部品１３及び固定部品１４を含む。そのうち、該ソケット１１内部は、穿孔１１１を穿設し、穿孔１１１最上部には口径が拡大した納置槽１１１１を形成する。ソケット１１底部には定位部１１２を成形し、且つ定位部１１２の外表面上には環状溝槽１１２１を成形する。更にソケット１１内にはリミット体１２を納置し、そのリミット体１２中央箇所には嵌合孔１２０を穿設し、リミット体１２表面の嵌合孔１２０に位置する周辺縁には凹槽１２１を設置する。更に凹槽１２１上には片体１２２を被覆する。
またリミット体１２底部とソケット１１の穿孔１１１の納置槽１１１１の間には弾性部品１３を押さえて設置し、更にソケット１１下方には穿孔１１１を穿設し、リミット体１２上で固定する固定部品１４を設置する。その固定部品１４は嵌合孔１２０内に嵌合する対応部１４１を備え、対応部１４１下方にはソケット１１に設置した穿孔１１１内に挿入する桿体１４２が延び、桿体１４２底部は外向きに伸び、ソケット１１外部に挿入し、且つ外径が穿孔１１１口径より大きい停止段１４３が成形され、且つ停止段１４３底部は外側に凸設し外径が徐々に広がるの停止部１４４を成形し、その停止部１４４の最上部には傾斜状の案内斜面１４４１を成形する。
【００１６】
該第一板材２はソケット１１の定位部１１２を固定するための孔２１が設置される。
【００１７】
該第二板材３は第一板材２に対して平行に組み立てる。その第二板材３は平滑な基板３１を備え、基板３１表面には第一掛合槽３１１を成形し、更に基板３１一側は傾斜状の片材３２が反折で延び、基板３１との間に停止段１４３が通過するための高低差が成形され、片材３２の第一掛合槽３１１に対応する下方には外径が第一掛合槽３１１の外径より大きい第二掛合槽３２１を成形し、次に第二板材３の反折部位は外から内向きに第一掛合槽３１１及び第二掛合槽３２１に連通する通道３３を設置し、その通道３３の末端であり、且つ基板３１一側の二内壁面箇所に、それぞれ支持凸塊３３１を凸設する。
第二板材３一側の反折部位であり、且つ通道３３二外側には、それぞれ停止部１４４の案内斜面１４４１を押して桿体１４２によってソケット１１の穿孔１１１外側に伸びる支持面３４を成形する。
【００１８】
上述の第二板材３の通道３３の間隔は停止段１４３の外径よりも大きく、且つ停止部１４４の外径より小さい。また通道３３の二支持凸塊３３１間の距離は桿体１４２の外径より大きく、且つ停止段１４３の外径よりも小さい。
【００１９】
更に上述の固定部品１４の桿体１４２及び停止段１４３の外径は、第一掛合槽３１１外径より小さく、且つ該停止部１４４の外径は第一掛合槽３１１外径より大きく、且つ第二掛合槽３２１外径より小さい。そして該停止部１４４の案内斜面１４４１と停止部１４４底面間の夾角が良好なのは、６０°〜１２０°間であり、第二板材３が定位しやすい。
【００２０】
その他，上述の第二板材３の片材３２は傾斜状がよく、基板３１との間に停止段１４３が通過するための高低差を形成する。但し、実際の応用時、その第二板材３の基板３１と折曲した片材３２間は停段１４３が通過する半分の高さを備えるだけでよく、前述效果を達成できる形式のすべては本考案に網羅され、この種の簡易な修飾及び同効果の構造変化は、すべて本考案の請求範囲内に含まれることとする。
【００２１】
本考案の固定組立部材１を第一板材２上に組み立てる時、先ず固定組立部材１ソケット１１の定位部１１２底面箇所を第一板材２の孔２１周辺縁に合わせ、次にプレス工具でリミット体１２の片体１２２上でプレスし、弾性部品１３に力を加えて弾性変形状態にしてソケット１１の定位部１１２を下向きに孔２１箇所にリベット接合して定位する。更に定位部１１２の環状溝槽１１２１によってソケット１１を孔２１箇所でしっかりと締め、結合定位して一体にする。それによって固定組立部材１を第一板材２に組み立てる作業を完成する。
【００２２】
上述ソケット１１の定位部１１２は、リベット接合方式で第一板材２上に結合するのが良い。但し、実際の応用時、表面粘着技術（ＳＭＴ）、熔接、ほぞ結合もしくはその他でソケット１１を第一板材２上に固定する結合方式でもよく、前述効果を達成できる形式のすべては本考案に網羅され、この種の簡易な修飾及び同効果の構造変化は、すべて本考案の請求範囲内に含まれることとする。
【００２３】
図４、５、６、７、８、９、１０に示すのは、本考案の組立前の立体外観図、組立前別角度の立体外観図、第二板材組立前の側視断面図、第二板材組立途中の側視断面図、第二板材組立後の側視断面図、組立後の立体外観図及び第九図Ａ線の側視断面図である。図にはっきりと示しているとおり、本考案を使用する時、先ず第二板材３を第一板材２の方向に対して平行にする。
そして第二板材３の通道３３の二内側壁面に固定組立部材１を合わせ、次に固定組立部材１方向へ挿入し、その差し込む過程において、第二板材３の支持面３４を停止部１４４の案内斜面１４４１に接触させて押す。支持面３４が固定部品１４をソケット１１から遠ざかる方向へ押し上げることによって、固定部品１４の桿体１４２及び停止段１４３はソケット１１の穿孔１１１外部方向へ飛び出し、同時にリミット体１２を動かして移動させ、リミット体１２底面によって弾性部品１３一端を弾性変形させて停止部１４４の案内斜面１４４１まで押し、第二板材３の通道３３両側壁面を支持する。
同時にその桿体１４２及び停止段１４３は通道３３内に進入し、第二板材３が再び位置移動すると、その桿体１４２は二支持凸塊３３１間に進入し、且つ停止段１４３及び停止部１４４二支持凸塊３３１下方に位置する。
再び第二板材３を押し移動すると、桿体１４２が二支持凸塊３３１を通って第一掛合槽３１１内に進入する。また停止段１４３は第二掛合槽３２１内へ進入する。桿体１４２及び停止段１４３の外径が第一掛合槽３１１外径より小さく、且つ停止部１４４の外径が第一掛合槽３１１及び第二掛合槽３２１の間に介在するため、桿体１４２が第一掛合槽３１１内に進入し、且つ停止段１４３が第二掛合槽３２１内へ進入した時、支持が外れた状態となり、弾性部品１３は弾力が復位し、リミット体１２と共に元の位置に戻り、且つ固定部品１４はリミット体１２に向かって復位移動し、固定部品１４の停止段１４３及び停止部１４４は、それぞれ第一掛合槽３１１及び第二掛合槽３２１中で安定して定位し、第二板材３が確実に固定組立部材１上で固定する作業が完成する。
【００２４】
第二板材３を第一板材２から外す時、リミット体１２の片体１２２表面を押すだけで固定部品１４を連動して下向きに移動し、固定部品１４の桿体１４２はソケット１１の穿孔１１１外部から伸びだし、固定部品１４の停止段１４３及び停止部１４４が第一掛合槽３１１及び第二掛合槽３２１内の規制からそれぞれ外れ、同時にそのリミット体１２底面は弾性部品１３を押さえることで弾性変形しているが、この時第二板材３へ掛かる力は反方向へ退き、桿体１４２及び停止段１４３は通道３３を通って第二板材３外部へ至り、手指にかける力を止めると、その弾性部品１３は弾性復位し、リミット体１２及び固定部品１４を伴い復位し、桿体１４２が再びソケット１１の穿孔１１１内に戻り、次の第二板材３組立動作を行う。
【００２５】
本考案は、固定組立部材１の構造が簡単で、且つ取り外す時にはガイド効果によって、工具を利用したり、手でネジを回転したりする必要がない。第二板材３に合わせて挿入するだけで確実に定位でき、且つ第二板材３を取り外したい時には手でリミット体１２表面を押すだけで、第二板材３を外すことができる。そのため、定位効果が高く、同時に取り外しも便利である。
【００２６】
更に本考案の第二板材３の通道３３二外側に位置する二支持面３４は弓形で、その二支持面３４は比較的面積が大きく、停止部１４４の案内斜面１４４１で押し、桿体１４２がソケット１１の穿孔１１１外側に入れやすく、且つ二支持面３４は弓形なので、第二板材３の構造強度が高くなり、第二板材３の使用寿命が向上する。
【００２７】
以上述べたものは、本考案の良好な実施例に過ぎず、本考案の請求範囲を制限するものではない。本考案の固定装置は固定組立部材１の固定部品１４底部の停止部１４４の案内斜面１４４１によって、第二板材３両側支持面３４を押し移動し、固定部品１４の桿体１４２、停止段１４３及び停止部１４４は通道３３を通り、弾性部品１３の弾力が復位すると、停止段１４３及び停止部１４４によって、それぞれ第一掛合槽３１１及び第二掛合槽３２１内で確実に定位する。
且つユーザーがリミット体１２表面を押すだけで、第二板材３が固定組立部材１上から離れ、確実な定位及び取り外しの簡便を達成する。故に前述効果を達成できる実施方式、操作ステップ等のすべては本考案に網羅され、この種の簡易修飾及び同効果の実施内容変化は、すべて本考案の請求範囲内に含まれることとする。
【００２８】
上述のとおり、本考案の固定装置は実際に応用し、実施する時、確実にその効果及び目的を達成する。故に本考案は実用性が高く、実用新案登録申請の要件に符合する。
【符号の説明】
【００２９】
１        固定組立部材
１１        ソケット
１１１        穿孔
１１１１        納置槽
１１２        定位部
１１２１        環状溝槽
１２        リミット体
１２０        嵌合孔
１２１        凹槽
１２２        片体
１３        弾性部品
１４        固定部品
１４１        対応部
１４２        桿体
１４３        停止段
１４４        停止部
１４４１        案内斜面
２        第一板材
２１        孔
３        第二板材
３１        基板
３１１        第一掛合槽
３２        片材
３２１        第二掛合槽
３３        通道
３３１        支持凸塊
３４        支持面
【図１】
0003209950.tif 000003
【図２】
0003209950.tif 000004
【図３】
0003209950.tif 000005
【図４】
0003209950.tif 000006
【図５】
0003209950.tif 000007
【図６】
0003209950.tif 000008
【図７】
0003209950.tif 000009
【図８】
0003209950.tif 000010
【図９】
0003209950.tif 000011
【図１０】
0003209950.tif 000012